(57)【要約】【課題】この発明は、所定の電子機器への内蔵に適する構成としたケーブルモデムモジュール装置を提供することを目的としている。また、この発明は、上記したケーブルモデムモジュール装置を内蔵した電子機器を提供することを目的としている。【解決手段】ＲＦ同軸コネクタ３６を介して高周波信号を送受信するアナログ信号処理部を有するチューナ部３８を、ＲＦ同軸コネクタ３６を外部に露出させて収納するシールドケース４９と、このシールドケース４９が実装され、チューナ部３８に対して入出力する信号をデジタル処理するもので、デジタルデータが入出力されるＩＣメモリ４６を含むデジタル信号処理部３９が形成された回路基板４７とを、シールドケース５１によりＲＦ同軸コネクタ３６を外部に露出させて収納したもので、回路基板４７上で、ＩＣメモリ４６をシールドケース４９を挟んでＲＦ同軸コネクタ３６と反対側となる位置に配置する。【選択図】    図５
2005064856.tif 000002
【特許請求の範囲】
【請求項１】
同軸コネクタを介して高周波信号を送受信するアナログ信号処理部を有するチューナ部と、
このチューナ部の前記同軸コネクタを外部に露出させて収納する第１のシールドケースと、
この第１のシールドケースが実装され、前記チューナ部に対して入出力する信号をデジタル処理するもので、デジタルデータが入出力されるメモリを含むデジタル信号処理部が形成された回路基板と、
この回路基板と前記第１のシールドケースとを前記同軸コネクタを外部に露出させて収納する第２のシールドケースとを具備し、
前記回路基板上で、前記メモリを前記第１のシールドケースを挟んで前記同軸コネクタと反対側となる位置に配置することを特徴とするケーブルモデムモジュール装置。
【請求項２】
同軸コネクタを介して高周波信号を送受信するアナログ信号処理部を有するチューナ部と、
このチューナ部の前記同軸コネクタを外部に露出させて収納する第１のシールドケースと、
この第１のシールドケースが実装され、前記チューナ部に対して入出力する信号をデジタル処理するもので、デジタルデータが入出力されるメモリを含むデジタル信号処理部が形成された回路基板と、
この回路基板と前記第１のシールドケースとを前記同軸コネクタを外部に露出させて収納する第２のシールドケースとを具備し、
前記回路基板上で、前記同軸コネクタ、前記第１のシールドケース及び前記メモリを、その順序で略一列状に配置することを特徴とするケーブルモデムモジュール装置。
【請求項３】
同軸コネクタを介して高周波信号を送受信するアナログ信号処理部を有するチューナ部と、
このチューナ部の前記同軸コネクタを外部に露出させて収納する第１のシールドケースと、
この第１のシールドケースが実装され、前記チューナ部に対して入出力する信号をデジタル処理するもので、デジタルデータが入出力されるメモリを含むデジタル信号処理部が形成された回路基板と、
この回路基板と前記第１のシールドケースとを前記同軸コネクタを外部に露出させて収納する第２のシールドケースとを具備し、
前記同軸コネクタと前記メモリとを、前記回路基板上で対辺近傍となる位置に配置することを特徴とするケーブルモデムモジュール装置。
【請求項４】
同軸コネクタを介して高周波信号を送受信するアナログ信号処理部を有するチューナ部と、
このチューナ部の前記同軸コネクタを外部に露出させて収納する第１のシールドケースと、
この第１のシールドケースが実装され、前記チューナ部に対して入出力する信号をデジタル処理するもので、デジタルデータが入出力されるメモリを含むデジタル信号処理部が形成された回路基板と、
この回路基板と前記第１のシールドケースとを前記同軸コネクタを外部に露出させて収納する第２のシールドケースとを具備し、
前記第１のシールドケースを前記回路基板の第１の面に実装し、前記メモリを前記回路基板の前記第１の面と反対側の第２の面に実装することを特徴とするケーブルモデムモジュール装置。
【請求項５】
前記メモリは、前記回路基板の第２の面のうち、前記同軸コネクタから最も遠い辺の近傍に実装されることを特徴とする請求項４記載のケーブルモデムモジュール装置。
【請求項６】
前記回路基板は、大部分がＧＮＤである層を含む多層構造となっていることを特徴とする請求項４または５記載のケーブルモデムモジュール装置。
【請求項７】
同軸コネクタを介して高周波信号を送受信するアナログ信号処理部を有するチューナ部と、このチューナ部の前記同軸コネクタを外部に露出させて収納する第１のシールドケースと、この第１のシールドケースが実装され、前記チューナ部に対して入出力する信号をデジタル処理するもので、デジタルデータが入出力されるメモリを含むデジタル信号処理部が形成された回路基板と、この回路基板と前記第１のシールドケースとを前記同軸コネクタを外部に露出させて収納する第２のシールドケースとを備え、前記回路基板上で、前記メモリを前記第１のシールドケースを挟んで前記同軸コネクタと反対側となる位置に配置したケーブルモデムモジュール装置と、
このケーブルモデムモジュール装置に電力を供給する電源部とを具備し、
前記電源部から供給される電力を用いて前記ケーブルモデムモジュール装置が動作するように構成したことを特徴とする電子機器。
【請求項８】
同軸コネクタを介して高周波信号を送受信するアナログ信号処理部を有するチューナ部と、このチューナ部の前記同軸コネクタを外部に露出させて収納する第１のシールドケースと、この第１のシールドケースが実装され、前記チューナ部に対して入出力する信号をデジタル処理するもので、デジタルデータが入出力されるメモリを含むデジタル信号処理部が形成された回路基板と、この回路基板と前記第１のシールドケースとを前記同軸コネクタを外部に露出させて収納する第２のシールドケースとを備え、前記回路基板上で、前記同軸コネクタ、前記第１のシールドケース及び前記メモリを、その順序で略一列状に配置したケーブルモデムモジュール装置と、
このケーブルモデムモジュール装置に電力を供給する電源部とを具備し、
前記電源部から供給される電力を用いて前記ケーブルモデムモジュール装置が動作するように構成したことを特徴とする電子機器。
【請求項９】
同軸コネクタを介して高周波信号を送受信するアナログ信号処理部を有するチューナ部と、このチューナ部の前記同軸コネクタを外部に露出させて収納する第１のシールドケースと、この第１のシールドケースが実装され、前記チューナ部に対して入出力する信号をデジタル処理するもので、デジタルデータが入出力されるメモリを含むデジタル信号処理部が形成された回路基板と、この回路基板と前記第１のシールドケースとを前記同軸コネクタを外部に露出させて収納する第２のシールドケースとを備え、前記同軸コネクタと前記メモリとを、前記回路基板上で対辺近傍となる位置に配置したケーブルモデムモジュール装置と、
このケーブルモデムモジュール装置に電力を供給する電源部とを具備し、
前記電源部から供給される電力を用いて前記ケーブルモデムモジュール装置が動作するように構成したことを特徴とする電子機器。
【請求項１０】
同軸コネクタを介して高周波信号を送受信するアナログ信号処理部を有するチューナ部と、このチューナ部の前記同軸コネクタを外部に露出させて収納する第１のシールドケースと、この第１のシールドケースが実装され、前記チューナ部に対して入出力する信号をデジタル処理するもので、デジタルデータが入出力されるメモリを含むデジタル信号処理部が形成された回路基板と、この回路基板と前記第１のシールドケースとを前記同軸コネクタを外部に露出させて収納する第２のシールドケースとを備え、前記第１のシールドケースを前記回路基板の第１の面に実装し、前記メモリを前記回路基板の前記第１の面と反対側の第２の面に実装したケーブルモデムモジュール装置と、
このケーブルモデムモジュール装置に電力を供給する電源部とを具備し、
前記電源部から供給される電力を用いて前記ケーブルモデムモジュール装置が動作するように構成したことを特徴とする電子機器。
【発明の詳細な説明】
【技術分野】
【０００１】
この発明は、例えばＣＡＴＶ（Cable Television）回線を用いたネットワークとのインターフェースとなるケーブルモデムモジュール装置に関する。また、この発明は、上記したケーブルモデムモジュール装置を内蔵した電子機器に関する。
【背景技術】
【０００２】
周知のように、例えばＣＡＴＶ回線を用いたネットワークに、ユーザの所有する例えばＰＣ（Personal Computer）等の情報端末を接続するためのインターフェースとして、ケーブルモデム装置が開発されている。このケーブルモデム装置は、現在、ユーザが直接取り扱うことができる独立した機器として製品化されている。
【０００３】
一般に、ケーブルモデム装置は、その背面にＣＡＴＶ幹線と接続するためのＲＦ（Radio Frequency）同軸コネクタ、ＰＣ等と接続するためのイーサネット（Ethernet）コネクタまたはジャック、装置を初期設定に戻すためのリセットスイッチ、電源電力の供給を受けるための電源コネクタ等を装備している。
【０００４】
また、このケーブルモデム装置の前面には、電源電力の供給状態、ＣＡＴＶセンター局との接続状態、ＰＣとの接続状態、その他の機能の状態を表示するためのＬＥＤ（Light Emitting Diode）または液晶等でなる表示部、装置に対して電源を投入または遮断するための電源スイッチ等が装備されている。
【０００５】
そして、このケーブルモデム装置は、現状において、合成樹脂材料で形成された筐体に収納されており、ＰＣの近傍に置かれたり、壁に掛けたりすることを前提として、その形状が設定されている。
【０００６】
ところで、現在では、高集積化、部品の高性能化、実装技術が向上していることから、ケーブルモデム装置としても大幅なコストダウンや小型軽量化が促進されている。これにより、サイズの上では、ケーブルモデム装置を所定の電子機器に内蔵してしまうことが可能になっている。
【０００７】
しかしながら、ケーブルモデム装置は、上述したように、元々、他の電子機器とは別体な独立した機器として構成されているため、所定の電子機器に内蔵するためには、種々の点で改良を施す必要が生じることになる。
【０００８】
特許文献１には、受信系ブロックと送信系ブロックとを１つの筐体内に形成した送受信一体型高周波装置が開示されている。しかしながら、この特許文献１では、受信系ブロックと送信系ブロックとが形成された筐体を、所定の電子機器に内蔵することについては何らの記載もなされていないものである。
【特許文献１】特開２００２−１６５２４号公報
【発明の開示】
【発明が解決しようとする課題】
【０００９】
そこで、この発明は上記事情を考慮してなされたもので、所定の電子機器への内蔵に適する構成とし、しかも、内部におけるノイズ対策も十分に施したケーブルモデムモジュール装置を提供することを目的とする。また、この発明は、上記したケーブルモデムモジュール装置を内蔵した電子機器を提供することを目的とする。
【課題を解決するための手段】
【００１０】
この発明に係るケーブルモデムモジュール装置は、同軸コネクタを介して高周波信号を送受信するアナログ信号処理部を有するチューナ部と、このチューナ部の同軸コネクタを外部に露出させて収納する第１のシールドケースと、この第１のシールドケースが実装され、チューナ部に対して入出力する信号をデジタル処理するもので、デジタルデータが入出力されるメモリを含むデジタル信号処理部が形成された回路基板と、この回路基板と第１のシールドケースとを同軸コネクタを外部に露出させて収納する第２のシールドケースとを備え、回路基板上で、メモリを第１のシールドケースを挟んで同軸コネクタと反対側となる位置に配置するようにしたものである。
【００１１】
また、この発明に係る電子機器は、同軸コネクタを介して高周波信号を送受信するアナログ信号処理部を有するチューナ部と、このチューナ部の同軸コネクタを外部に露出させて収納する第１のシールドケースと、この第１のシールドケースが実装され、チューナ部に対して入出力する信号をデジタル処理するもので、デジタルデータが入出力されるメモリを含むデジタル信号処理部が形成された回路基板と、この回路基板と第１のシールドケースとを同軸コネクタを外部に露出させて収納する第２のシールドケースとを備え、回路基板上で、メモリを第１のシールドケースを挟んで同軸コネクタと反対側となる位置に配置したケーブルモデムモジュール装置と；このケーブルモデムモジュール装置に電力を供給する電源部とを具備し；電源部から供給される電力を用いてケーブルモデムモジュール装置が動作するように構成したものである。
【発明の効果】
【００１２】
上記した構成によれば、回路基板上で、メモリを第１のシールドケースを挟んで同軸コネクタと反対側となる位置に配置するようにしたので、回路基板上で同軸コネクタとメモリとの距離を遠ざけることができ、その結果、メモリに入出力されるデジタル信号が同軸コネクタで扱われるアナログ信号に悪影響を与えることを防止することが可能となる。これにより、同軸コネクタで扱われる信号の品質を良好に保つことができ、高品位な信号の送受信を行なうことが可能となる。
【発明を実施するための最良の形態】
【００１３】
以下、この発明の実施の形態について図面を参照して詳細に説明する。図１は、この実施の形態で説明するＣＡＴＶ放送システムの概略を示している。図１において、符号１１はＣＡＴＶセンター局である。
【００１４】
このＣＡＴＶセンター局１１は、ＣＡＴＶケーブル１２を介して各加入者宅１３に設置されたＣＡＴＶ端末装置１４に接続されている。また、ＣＡＴＶセンター局１１は、例えばインターネット等の各種ネットワーク情報網１５に接続されている。
【００１５】
そして、ＣＡＴＶ端末装置１４は、ＣＡＴＶセンター局１１から配信される各種番組の選局処理、選局された番組からの映像、音声及び文字等の各種情報の復調処理等を行なう機能を有する。このＣＡＴＶ端末装置１４で復調された映像、音声及び文字等の各種情報は、テレビジョン受信機１６に出力されてユーザの視聴に供される。
【００１６】
また、このＣＡＴＶ端末装置１４は、ＰＣ１７を接続可能としており、ＰＣ１７がＣＡＴＶセンター局１１を介して各種ネットワーク情報網１５とデータ通信を行なうためのケーブルモデム機能を有している。
【００１７】
なお、ＣＡＴＶセンター局１１からＣＡＴＶ端末装置１４には、例えば９０〜８６０ＭＨｚ程度の高周波の下り信号で、映像、音声、文字、ＰＣデータ等の各種情報が配信される。また、ＣＡＴＶ端末装置１４からＣＡＴＶセンター局１１には、例えば５〜６５ＭＨｚ程度の高周波の上り信号で情報が伝送される。
【００１８】
図２は、ＣＡＴＶ端末装置１４の概略的な構造を示している。このＣＡＴＶ端末装置１４は、略箱状に形成された筐体１８を有し、この筐体１８内に、各種の回路部を形成するための主回路基板１９が収納される構造となっている。
【００１９】
すなわち、主回路基板１９には、主として、ＣＡＴＶセンター局１１から配信される各種番組の選局処理や復調処理等を行なうための放送信号復調部２０と、ＰＣ１７がＣＡＴＶセンター局１１を介して各種ネットワーク情報網１５とデータ通信を行なうためのケーブルモデムモジュール装置２１と、ＡＣ（Alternating Current）商用電力を受けて放送信号復調部２０及びケーブルモデムモジュール装置２１に必要な電力を供給するための電源部２２とが実装されている。
【００２０】
また、上記筐体１８の前面パネル２３には、例えば受信チャンネルやＣＡＴＶセンター局１１との接続状態を表示する表示部２４、電源スイッチを含む各種の操作子２５、電源オン、オフの状態を示す表示装置２６、図示しないリモートコントローラからの操作情報を受信する受信部２７等が配置されている。
【００２１】
さらに、上記筐体１８の後面パネル２８には、上記ＣＡＴＶケーブル１２を接続するためのＲＦ同軸コネクタ２９、上記放送信号復調部２０で復調された映像信号及び音声信号を、それぞれ外部のテレビジョン受信機１６等に出力するための映像出力端子３０及び音声出力端子３１、ＣＡＴＶセンター局１１を介して各種のネットワーク情報網１５にアクセスする情報端末（例えばＰＣ１７等）を接続するためのコネクタ３２、上記電源部２２にＡＣ商用電力を供給するためのＡＣライン３３等が配置されている。
【００２２】
図３は、上記ＣＡＴＶ端末装置１４の信号処理系を示している。すなわち、上記ＣＡＴＶケーブル１２が接続されるＲＦ同軸コネクタ２９は、分配器３４に接続されている。この分配器３４は、ＣＡＴＶケーブル１２を、上記放送信号復調部２０のチューナ部３５に接続する機能と、上記ケーブルモデムモジュール装置２１のＲＦ同軸コネクタ３６に接続する機能とを有する。
【００２３】
これにより、ＣＡＴＶセンター局１１から配信される各種番組は、ＣＡＴＶケーブル１２、ＲＦ同軸コネクタ２９及び分配器３４を介してチューナ部３５に供給されて選局された後、上記放送信号復調部２０の信号処理部３７により、映像信号及び音声信号に復調される。
【００２４】
そして、上記放送信号復調部２０で復調された映像信号及び音声信号は、それぞれ映像出力端子３０及び音声出力端子３１を介して、外部のテレビジョン受信機１６等に出力されてユーザの視聴に供される。
【００２５】
また、ＰＣ１７から出力されるネットワーク情報網１５へのアクセス情報は、コネクタ３２、ケーブルモデムモジュール装置２１、ＲＦ同軸コネクタ３６、分配器３４、ＲＦ同軸コネクタ２９、ＣＡＴＶケーブル１２及びＣＡＴＶセンター局１１を介して、所定のネットワーク情報網１５に送出される。
【００２６】
そして、ネットワーク情報網１５からの返信情報は、ＣＡＴＶセンター局１１、ＣＡＴＶケーブル１２、ＲＦ同軸コネクタ２９、分配器３４、ＲＦ同軸コネクタ３６、ケーブルモデムモジュール装置２１及びコネクタ３２を介して、ＰＣ１７に受信される。
【００２７】
ここで、上記ケーブルモデムモジュール装置２１は、ＣＡＴＶセンター局１１との通信の制御、ＣＡＴＶセンター局１１に送信する上り信号の生成、ＣＡＴＶセンター局１１から送信された下り信号の復調、ケーブルモデムモジュール装置２１に接続されている外部装置（この場合ＰＣ１７）とのデータ通信の制御等を行なう機能を有している。
【００２８】
図４は、ケーブルモデムモジュール装置２１の信号処理系を示している。このケーブルモデムモジュール装置２１は、ＣＡＴＶセンター局１１と上記ＲＦ同軸コネクタ３６を介して送受信する高周波信号を扱うためのアナログ信号処理部を有するチューナ部３８と、このチューナ部３８に対して入出力する信号をデジタル処理するデジタル信号処理部３９とを備えている。
【００２９】
このデジタル信号処理部３９は、チューナ部３８で周波数変換されて出力されるアナログの下り信号をデジタル信号に変換するＡ／Ｄ（Analog／Digital）コンバータ４０、デジタル信号に変換された下り信号を復調してデータ化する復調部４１を備え、データ化された下り信号はＭＡＣ（Media Access Control）部４２に供給される。
【００３０】
また、ＭＡＣ部４２で生成されたデジタルの上り信号は、Ｄ／Ａ（Digital／Analog）コンバータ４３でアナログ信号に変換され、チューナ部３８を介してＣＡＴＶセンター局１１に送信される。
【００３１】
さらに、ＭＡＣ部４２は、ＣＡＴＶセンター局１１と送受信したデータを、イーサネットＩ／Ｆ（Interface）部４４を介して、ケーブルモデムモジュール装置２１に接続されている外部装置（この場合、ＰＣ１７）と通信する機能を有している。
【００３２】
また、このデジタル信号処理部３９は、チューナ部３８を含めた各回路部の動作を統括的に制御するために、マイクロコンピュータ等を内蔵した主制御部４５と、ＩＣ（Integrated Circuit）メモリ４６とを備えている。この主制御部４５及びＩＣメモリ４６は、ＭＡＣ部４２に接続されている。
【００３３】
そして、このケーブルモデムモジュール装置２１には、そのチューナ部３８及びデジタル信号処理部３９を含めた各回路部に対して、ケーブルモデムモジュール装置２１の外部に設置された上記電源部２２から電源電力が供給されるようになっている。
【００３４】
図５は、ケーブルモデムモジュール装置２１の構造を示している。図５において、符号４７は回路基板である。この回路基板４７には、図４に示したチューナ部３８及びデジタル信号処理部３９が実装されている。なお、図５では、デジタル信号処理部３９を構成するＩＣメモリ４６が、回路基板４７に接続されている状態が見えている。
【００３５】
このうち、チューナ部３８は、チューナ回路基板４８上に、上記ＲＦ同軸コネクタ３６を設置するとともに、前記アナログ信号処理部を形成している。そして、ＲＦ同軸コネクタ３６を露出させるようにして、チューナ回路基板４８を、例えば金属等の電磁波の不要輻射を遮蔽する効果のある素材で形成されたシールドケース４９内に収納した構成となっている。
【００３６】
このチューナ部３８は、一端部がチューナ回路基板４８に接続され、他端部がシールドケース４９を挿通して外方に突出される、アナログ信号入出力用の複数の端子５０を備えている。このチューナ部３８は、複数の端子５０の他端部を回路基板４７に接続することにより、回路基板４７に実装されたデジタル信号処理部３９と接続されている。
【００３７】
そして、上記ケーブルモデムモジュール装置２１は、チューナ部３８及びデジタル信号処理部３９が実装された回路基板４７の周囲を、外部からの電磁波をシールドする機能を有する略６面体のシールドケース５１、もしくは、それに類似した形状の筐体で覆うことにより構成されている。
【００３８】
このシールドケース５１は、回路基板４７の周囲４面を覆う枠状の金属ケース５２と、この４面体の金属ケース５２の一方の開口を覆う第１のカバー５３と、金属ケース５２の他方の開口を覆う第２のカバー５４とから形成されている。
【００３９】
ここで、上記金属ケース３３には、ケーブルモデムモジュール装置２１の外部と回路基板４７上のデジタル信号処理部３９との電気的接続や、ケーブルモデムモジュール装置２１の外部から回路基板４７上の各種回路に対する電源電力の供給を目的とする複数の端子５５が備えられている。
【００４０】
この複数の端子５５には、例えば貫通コンデンサ等のように、金属ケース３３を挿通して、他の外部回路基板（この場合、主回路基板１９）に直接はんだ付けすることができる端子、または、簡易な構造のコネクタで接続することができる端子を用いている。この複数の端子５５は、それぞれの一端部が回路基板４７に接続され、他端部が金属ケース５２を挿通して外方に突出されて、例えば主回路基板１９との接続に供されている。
【００４１】
図６は、上記回路基板４７のチューナ部３８が搭載されている面と反対側の面を示している。この面には、上記デジタル信号処理部３９のＡ／Ｄコンバータ４０、復調部４１、ＭＡＣ部４２、Ｄ／Ａコンバータ４３及び主制御部４５等をＩＣ化した半導体チップ５６と、ＩＣチップ化されたイーサネットＩ／Ｆ部４４とが実装されている。
【００４２】
ここで、図５乃至図７によって種々の角度から示されるように、デジタル信号処理部３９のＩＣメモリ４６は、上記回路基板４７のチューナ部３８が搭載されている側の面で、かつ、チューナ部３８の本体となるシールドケース４９を挟んでＲＦ同軸コネクタ３６と反対側となる位置に設置されている。
【００４３】
換言すれば、回路基板４７上で、ＲＦ同軸コネクタ３６、シールドケース４９及びＩＣメモリ４６を、この順序で略一列状になるように配置することにより、ＲＦ同軸コネクタ３６とＩＣメモリ４６との間の距離を可能な限り長くとるようにしている。
【００４４】
一般に、チューナ部３８内、及びＲＦ同軸コネクタ３６で扱われる信号は、微弱なアナログ高周波信号であることが多く、また、アナログ信号であるために不要な信号の重畳は通信品質を劣化させるおそれがある。
【００４５】
これに対し、ＩＣメモリ４６では、デジタル信号の入出力が高速で行なわれている。そして、このデジタル信号の基本動作周波数信号成分及びその高調波信号成分は、ＲＦ同軸コネクタ３６で扱われている信号に対しては、まさにノイズであり、不要信号源となっている。
【００４６】
また、このデジタル信号は、ＲＦ同軸コネクタ３６で扱われる信号振幅に対しても、非常に大きい振幅であることが多く、その振幅差のために、デジタル信号がＲＦ同軸コネクタ３６に不要輻射によるノイズ及び不要信号として重畳された場合、通信品質の劣化が大きくなる。
【００４７】
ＲＦ同軸コネクタ３６は、シールドケース４９に直接取り付けられており、また、ＲＦ同軸コネクタ３６に接続されるＲＦ同軸ケーブル（図３において、分配器３４とＲＦ同軸コネクタ３６とを接続しているケーブル）はシールド線であることから、ＲＦ同軸コネクタ３６を介する信号は、これらのシールド構造により外部と遮蔽されている。
【００４８】
しかしながら、ＲＦ同軸コネクタ３６に入力されるＣＡＴＶセンター局１１から送出された信号は、ＩＣメモリ４６で扱われる信号に比べて非常に微弱であり、上記のシールド構造をもってしても不要輻射による不要信号またはノイズの重畳によりケーブルモデムモジュール装置２１の受信性能の劣化を招くおそれがある。
【００４９】
同様に、ＲＦ同軸コネクタ３６から送出される信号に、ＩＣメモリ４６で扱われる信号が不要輻射により重畳され、ＣＡＴＶ幹線に流出すると、それが微弱な振幅であっても、ケーブルモデムモジュール装置２１の標準規格の性能を満たせなくなるおそれがある。
【００５０】
上記した実施の形態では、図５乃至図７に示したように、回路基板４７上でＲＦ同軸コネクタ３６とＩＣメモリ４６との距離を可能な限り遠ざけることにより、不要輻射によるノイズ及び不要信号として重畳する振幅を最小限に抑え、その影響を少なくすることができる。
【００５１】
その結果、ＲＦ同軸コネクタ３６で扱われる信号の品質を良好に保つことができ、これにより、チューナ部３８は、ＣＡＴＶセンター局１１との高品位な送受信を可能とすることが可能となり、ケーブルモデムモジュール装置２１として高品位な通信を提供することができる。
【００５２】
図８乃至図１０は、それぞれ、上記した実施の形態の変形例を示している。まず、図８は、回路基板４７のうち、その平面方向に沿って縁部からＲＦ同軸コネクタ３６が突出されている側の辺４７ａと反対側の辺（対辺）４７ｂ近傍に、ＩＣメモリ４６を設置したものである。このような構成によれば、回路基板４７上でＲＦ同軸コネクタ３６とＩＣメモリ４６との距離を効果的に遠ざけることができる。
【００５３】
また、図９は、回路基板４７のうち、チューナ部３８が搭載されている面と反対側の面に、ＩＣメモリ４６を設置したものである。このケーブルモデムモジュール装置２１に使用されている回路基板４７は、多層（例えば６層）構造になっており、そのうちの１層または数層（例えば２層）は大部分がＧＮＤ（ground）となっている。
【００５４】
このため、回路基板４７のチューナ部３８が搭載されている面と反対側の面にＩＣメモリ４６を設置すると、ＧＮＤ（ground）層によるシールド効果により、ＩＣメモリ４６に入出力されるデジタル信号が、ＲＦ同軸コネクタ３６に不要輻射によるノイズ及び不要信号として重畳されることを抑制することができるようになる。
【００５５】
さらに、図１０は、回路基板４７のチューナ部３８が搭載されている面と反対側の面のうち、その面方向に沿って縁部からＲＦ同軸コネクタ３６が突出されている側の辺４７ａと反対側の辺（対辺）４７ｂに近付けて、ＩＣメモリ４６を設置したものである。
【００５６】
このような構成によれば、ＲＦ同軸コネクタ３６とＩＣメモリ４６との間の距離を長くとることができ、しかも、ＧＮＤ（ground）層によるシールド効果が加わるため、一層効果的である。
【００５７】
特に、図１０に示すように、回路基板４７のチューナ部３８が搭載されている面と反対側の面で、ＲＦ同軸コネクタ３６が突出されている側の辺４７ａと反対側の辺（対辺）４７ｂのうち、角部に近付けるようにＩＣメモリ４６を設置すれば、ＲＦ同軸コネクタ３６とＩＣメモリ４６との間の距離を可能な限り長くとることができ、しかも、ＧＮＤ（ground）層によるシールド効果も最大に発揮される。
【００５８】
以上に説明した実施の形態では、ケーブルモデムモジュール装置２１が内蔵される電子機器としてＣＡＴＶ端末装置１４を例に説明したが、この電子機器としては、例えばゲーム機器等であっても適用することができる。
【００５９】
図１１は、ゲーム機器５７の概略的な構造を示している。このゲーム機器５７は、略箱状に形成された筐体５８を有し、この筐体５８内に、各種の回路部を形成するための主回路基板５９が収納される構造となっている。
【００６０】
この主回路基板５９には、主として、ゲーム用のデータ処理用チップ６０と、上記したケーブルモデムモジュール装置２１と同様な構成となされたケーブルモデムモジュール装置６１と、ＡＣ商用電力を受けてデータ処理用チップ６０及びケーブルモデムモジュール装置６１に必要な電力を供給するための電源部６２とが実装されている。
【００６１】
また、上記筐体５８の前面パネル６３には、ゲームソフトウエアの格納されたディスクを装着して再生するためのディスク再生部６４、ユーザの操作するゲームコントローラ６５が接続されるコネクタ６６等が配置されている。
【００６２】
さらに、上記筐体５８の後面パネル６７には、ケーブルモデムモジュール装置６１に設置されたＲＦ同軸コネクタ６８、上記データ処理用チップ６０から出力される映像信号及び音声信号を、それぞれ外部のテレビジョン受信機６９等に出力するための映像出力端子７０及び音声出力端子７１、上記電源部６２にＡＣ商用電力を供給するためのＡＣライン７２等が配置されている。
【００６３】
そして、このゲーム機器５７では、ＣＡＴＶ端末装置１４と異なり、ケーブルモデムモジュール装置６１のＲＦ同軸コネクタ６８が後面パネル６７から突出されており、ＣＡＴＶケーブル１２が直接接続されるようになっている。
【００６４】
また、このゲーム機器５７には、例えばＣＡＴＶセンター局１１からダウンロード可能なゲームソフトウエア、バージョンアップデータまたはハイスコアデータ等を記憶可能なＨＤＤ（Hard Disk Drive）や、対戦型ゲームにおいてＣＡＴＶセンター局１１にエントリィされている任意の対戦相手との通信を確保／切断可能な通信ユニット等が設けられている。
【００６５】
図１２は、上記ゲーム機器５７の信号処理系を示している。すなわち、ケーブルモデムモジュール装置６１及びディスク再生部６４は、上記ゲーム用のデータ処理用チップ６０内に形成されているゲーム用データ処理部７３に接続されている。また、このゲーム用データ処理部７３には、コネクタ６６を介してゲームコントローラ６５が接続されるとともに、映像出力端子７０及び音声出力端子７１を介してテレビジョン受信機６９が接続されている。
【００６６】
そして、ゲーム用データ処理部７３が、ディスク再生部６４で再生されたゲームプログラムや、ケーブルモデムモジュール装置６１を介してＣＡＴＶセンター局１１から取得してＨＤＤに記憶されたゲームソフトウエア等に基づいて駆動され、ゲームコントローラ６５の操作に対応したゲーム内容が、テレビジョン受信機６９で映像表示及び音声再生される。
【００６７】
また、ゲーム用データ処理部７３は、その内部で生成した種々のゲーム情報を、ケーブルモデムモジュール装置６１を介してＣＡＴＶセンター局１１に送信するとともに、ＣＡＴＶセンター局１１から送信される各種のゲーム情報を、ケーブルモデムモジュール装置６１を介して受信することにより、対戦型ゲームを実現している。
【００６８】
そして、このようなゲーム機器５７に内蔵されるケーブルモデムモジュール装置６１においても、図５乃至図１０を用いて説明したように、ＲＦ同軸コネクタ６８と図示しないＩＣメモリとを可能な限り遠ざけて配置することにより、ＩＣメモリに対して入出力されるデジタル信号が、ＲＦ同軸コネクタ６８に不要輻射によるノイズ及び不要信号として重畳されることを抑制することができるようになる。
【００６９】
なお、この発明は上記した実施の形態そのままに限定されるものではなく、実施段階ではその要旨を逸脱しない範囲で構成要素を種々変形して具体化することができる。
【００７０】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７１】
【図１】この発明の実施の形態を示すもので、ＣＡＴＶ放送システムの概略を説明するために示す図。
【図２】同ＣＡＴＶ放送システムにおけるＣＡＴＶ端末装置の構造を説明するために示す斜視図。
【図３】同ＣＡＴＶ端末装置における信号処理系を説明するために示すブロック構成図。
【図４】同ＣＡＴＶ端末装置に内蔵されたケーブルモデムモジュール装置の信号処理系を説明するために示すブロック構成図。
【図５】同ケーブルモデムモジュール装置内における構造を説明するために示す分解斜視図。
【図６】同ケーブルモデムモジュール装置内における各回路部品の配置を説明するために示す平面図。
【図７】同ケーブルモデムモジュール装置内における各回路部品の配置を説明するために示す側断面図。
【図８】同ケーブルモデムモジュール装置内における各回路部品の配置の他の例を説明するために示す側断面図。
【図９】同ケーブルモデムモジュール装置内における各回路部品の配置の他の例を説明するために示す平面図。
【図１０】同ケーブルモデムモジュール装置内における各回路部品の配置の他の例を説明するために示す平面図。
【図１１】同ケーブルモデムモジュール装置が内蔵されたゲーム機器の構造を説明するために示す斜視図。
【図１２】同ゲーム機器における信号処理系を説明するために示すブロック構成図。
【符号の説明】
【００７２】
１１…ＣＡＴＶセンター局、１２…ＣＡＴＶケーブル、１３…加入者宅、１４…ＣＡＴＶ端末装置、１５…ネットワーク情報網、１６…テレビジョン受信機、１７…ＰＣ、１８…筐体、１９…主回路基板、２０…放送信号復調部、２１…ケーブルモデムモジュール装置、２２…電源部、２３…前面パネル、２４…表示部、２５…操作子、２６…電源オン、オフの状態を示す表示装置、２７…受信部、２８…後面パネル、２９…ＲＦ同軸コネクタ、３０…映像出力端子、３１…音声出力端子、３２…コネクタ、３３…ＡＣライン、３４…分配器、３５…チューナ部、３６…ＲＦ同軸コネクタ、３７…信号処理部、３８…チューナ部、３９…デジタル信号処理部、４０…Ａ／Ｄコンバータ、４１…復調部、４２…ＭＡＣ部、４３…Ｄ／Ａコンバータ、４４…イーサネットＩ／Ｆ部、４５…主制御部、４６…ＩＣメモリ、４７…回路基板、４８…チューナ回路基板、４９…シールドケース、５０…端子、５１…シールドケース、５２…金属ケース、５３…第１のカバー、５４…第２のカバー、５５…端子、５６…半導体チップ、５７…ゲーム機器、５８…筐体、５９…主回路基板、６０…データ処理用チップ、６１…ケーブルモデムモジュール装置、６２…電源部、６３…前面パネル、６４…ディスク再生部、６５…ゲームコントローラ、６６…コネクタ、６７…後面パネル、６８…ＲＦ同軸コネクタ、６９…テレビジョン受信機、７０…映像出力端子、７１…音声出力端子、７２…ＡＣライン、７３…ゲーム用データ処理部。
【図１】
2005064856.tif 000003
【図２】
2005064856.tif 000004
【図３】
2005064856.tif 000005
【図４】
2005064856.tif 000006
【図５】
2005064856.tif 000007
【図６】
2005064856.tif 000008
【図７】
2005064856.tif 000009
【図８】
2005064856.tif 000010
【図９】
2005064856.tif 000011
【図１０】
2005064856.tif 000012
【図１１】
2005064856.tif 000013
【図１２】
2005064856.tif 000014